(57)【要約】【課題】複数本の電線を簡単にフラット化することができる電池モジュール用の安価なフラットハーネスを提供する。【解決手段】複数の電池セル３１から成る電池モジュール３０の一列に並べられた電極端子群の電極端子３２間のバスバー２０に接続され、複数本の電線１１を並列に並べてフラット化したフラットハーネス１０であって、電池モジュール３０の長手方向に電線１１を配索する配索経路Ｈ上に並列に並べられた複数本の電線１１を、片面に粘着材を有した絶縁材１２で包んでフラット形状に保持して成る。【選択図】図１
2019204691.tif 000002
【特許請求の範囲】
【請求項１】
複数の電池セルから成る電池モジュールの一列に並べられた電極端子群の電極端子間のバスバーに接続され、複数本の電線を並列に並べてフラット化したフラットハーネスであって、
前記電池モジュールの長手方向に電線を配索する配索経路上に並列に並べられた前記複数本の電線を、片面に粘着材を有した絶縁材で包んでフラット形状に保持し、前記粘着材が前記複数本の電線に接着して成ることを特徴とするフラットハーネス。
【請求項２】
請求項１記載のフラットハーネスであって、
前記絶縁材は、片面に粘着材を有した１枚の粘着テープであり、
前記１枚の粘着テープを前記複数本の電線の片側から両側に折り畳んで前記粘着材で貼り合わせてフラット形状に包み込んで成ることを特徴とするフラットハーネス。
【請求項３】
請求項２記載のフラットハーネスであって、
前記粘着テープでフラット形状に包み込んで成る前記複数本の電線及び前記粘着テープに余長吸収用の曲げ部を形成したことを特徴とするフラットハーネス。
【請求項４】
請求項１又は２記載のフラットハーネスであって、
前記並列に隙間なく並べられた複数本の電線を隙間をあけて２組並列に設けたことを特徴とするフラットハーネス。
【請求項５】
請求項４記載のフラットハーネスであって、
前記１枚の粘着テープを前記２組の複数本の電線間の前記隙間の部分より折り返し重ねて前記複数本の電線を上下２層に積層形成したことを特徴とするフラットハーネス。
【発明の詳細な説明】
【技術分野】
【０００１】
本発明は、複数の電池セルから成る電池モジュールの一列に並べられた電極端子群の電極端子間のバスバーに接続されるフラットハーネスに関する。
【背景技術】
【０００２】
例えば、電池モジュールの一列に並べられた電極端子群の電極端子間のバスバーに接続されるフラットケーブルとして、特許文献１に開示されたものがある。このフラットケーブルは、バスバーに接続される線状導体と、この線状導体を被覆する被覆部及びバスバーを保持するバスバー保持部と、を備えている。
【先行技術文献】
【特許文献】
【０００３】
【特許文献１】特開２０１７−１１２０６６号公報
【特許文献２】特開２００９−１７９１１７号公報
【発明の概要】
【発明が解決しようとする課題】
【０００４】
前記従来のフラットケーブルは、ハイブリッド電気自動車（ＨＥＶ）や電気自動車（ＥＶ）等の電池監視ユニットに接続される電圧検出線として使用されているが、例えば、フレキシブルプリント配線板（ＦＰＣ）であるため高価であり、複数本の丸電線を使用してフラット化したハーネスの開発が所望されている。
【０００５】
そこで、本発明は、前記した課題を解決すべくなされたものであり、複数本の電線を簡単にフラット化することができる電池モジュール用の安価なフラットハーネスを提供することを目的とする。
【課題を解決するための手段】
【０００６】
本発明は、複数の電池セルから成る電池モジュールの一列に並べられた電極端子群の電極端子間のバスバーに接続され、複数本の電線を並列に並べてフラット化したフラットハーネスであって、前記電池モジュールの長手方向に電線を配索する配索経路上に並列に並べられた前記複数本の電線を、片面に粘着材を有した絶縁材で包んでフラット形状に保持し、前記粘着材が前記複数本の電線に接着して成ることを特徴とする。
【発明の効果】
【０００７】
本発明によれば、複数本の電線を片面に粘着材を有した絶縁材で包んでフラット形状に保持したことで、複数本の電線を簡単にフラット化することができる。これにより、電池モジュール用のフラットハーネスを安価に提供することができる。
【図面の簡単な説明】
【０００８】
【図１】本発明の第１実施形態のフラットハーネスを電池モジュールに接続した状態を示す平面図である。
【図２】（ａ）は図１中Ａ−Ａ線に沿う断面図、（ｂ）は図１中Ｂ−Ｂ線に沿う断面図である。
【図３】本発明の第２実施形態のフラットハーネスの要部の斜視図である。
【図４】本発明の第３実施形態のフラットハーネスの積層前の状態を一部断面で示す斜視図である。
【図５】上記第３実施形態のフラットハーネスの積層後の状態を一部断面で示す斜視図である。
【発明を実施するための形態】
【０００９】
以下、本発明の実施形態を図面に基づいて説明する。
【００１０】
図１は本発明の第１実施形態のフラットハーネスを電池モジュールに接続した状態を示す平面図、図２（ａ）は図１中Ａ−Ａ線に沿う断面図、図２（ｂ）は図１中Ｂ−Ｂ線に沿う断面図である。
【００１１】
図１及び図２（ａ），（ｂ）に示すように、フラットハーネス１０は、複数の電池セル３１から成る電池モジュール３０の一列に並べられた電極端子群の隣り合う電極端子３２，３２間のバスバー２０に接続され、複数本の電線１１を並列に並べてフラット化したものであり、例えば、ハイブリッド電気自動車（ＨＥＶ）や電気自動車（ＥＶ）等の図示しない電池監視ユニットに接続される電圧検出線として使用されるものである。
【００１２】
即ち、フラットハーネス１０は、電池モジュール３０の長手方向に電線を配索する配索経路Ｈ上に並列に並べられた複数本の電線１１を、１枚の粘着テープ（絶縁材）１２の片面（内面）１２ａに積層された粘着材１３上に載せて、粘着テープ１２を複数本の電線１１の片側から両側に折り畳んで粘着材１３で貼り合わせてフラット形状に包み込んで保持することにより形成されている。
【００１３】
図２（ａ），（ｂ）に示すように、電線１１は、芯線１１ａと、この芯線１１ａを被う絶縁被膜１１ｂから成り、電池モジュール３０の複数の電池セル３１の隣り合う電極端子３２，３２に接続されるバスバー２０の数の分の電線１１が隙間なく並列に並べられている。そして、各電線１１の芯線１１ａの一端側は、対応するバスバー２０の側面２０ｃの中央に溶接により接続されている。
【００１４】
また、１枚の粘着テープ１２は、片面１２ａに粘着材１３を積層して成る。そして、図２（ａ），（ｂ）に示すように、粘着テープ１２の折り曲げられた両端側は、バスバー２０側ではバスバー２０の上，下面２０ａ，２０ｂにそれぞれ接着され、バスバー２０以外の粘着テープ１２の折り曲げられた両端側同士（両粘着材１３同士）は互いに接着されている。
【００１５】
尚、各電線１１の芯線１１ａの他端側は電池監視ユニットに接続されて電圧検出線として使用される。また、図１に示すように、バスバー２０は、矩形板状に形成されていて、その両側に隣り合う電極端子３２を貫通して接続する一対の取付孔２１，２１が形成されている。
【００１６】
以上実施形態のフラットハーネス１０によれば、複数本の電線１１を片面１２ａに粘着材１３を有した１枚の粘着テープ１２で包んでフラット形状に保持したことで、複数本の電線１１を簡単にフラット化することができる。これにより、電池モジュール用のフラットハーネス１０を安価な電線１１により形成して提供することができる。
【００１７】
また、フラットハーネス１０には、各電線１１の芯線１１ａの一端側に溶接により接続されたバスバー２０も粘着テープ１２の折り曲げられた両端側で接着されて一体化（モジュール化）されているため、電池モジュール３０の複数の電池セル３１の隣り合う電極端子３２，３２にフラットハーネス１０を接続する作業を容易に行うことができる。
【００１８】
さらに、複数本の電線１１を片面１２ａに粘着材１３を有した１枚の粘着テープ１２で包んでフラット化してフラットハーネス１０を形成したことにより、樹脂ケース等で保護する必要がなくなり、重量低減及び低背化（薄肉化）を図ることができる。
【００１９】
図３は本発明の第２実施形態のフラットハーネスの要部の斜視図である。
【００２０】
この第２実施形態のフラットハーネス１０′は、１枚の粘着テープ１２でフラット形状に包み込んで成る複数本の電線１１及び粘着テープ１２の隣接するバスバー２０，２０間に、余長吸収用の逆Ｕ字状の曲げ部１４をそれぞれ一体形成してある。
【００２１】
第２実施形態のフラットハーネス１０′では、余長吸収用の逆Ｕ字状の曲げ部１４の伸縮により、複数の電池セル３１間の寸法公差や複数の電池セル３１の膨張収縮を吸収して隣り合う電極端子３２，３２にフラットハーネス１０′を簡単に接続することができる。
【００２２】
図４は本発明の第３実施形態のフラットハーネスの積層前の状態を一部断面で示す斜視図、図５は同フラットハーネスの積層後の状態を一部断面で示す斜視図である。
【００２３】
この第３実施形態のフラットハーネス１０″は、図４に示すように、並列に隙間なく並べられた複数本の電線１１を隙間Ｓをあけて２組並列に設けてあり、図５に示すように、１枚の粘着テープ１２を２組の複数本の電線１１間の隙間Ｓの部分より折り返し重ねて複数本の電線１１を上下２層に積層形成したものである。尚、粘着テープ１２の折り曲げ前の２組の複数本の電線１１の上側に位置する隙間Ｓに対向する部位には、折り曲げを吸収する余長部１５を設けてある。
【００２４】
この第３実施形態のフラットハーネス１０″では、電池セル３１の多い電池モジュール３０でもフラットハーネス１０″を電池監視ユニット用の電圧検出線として使用することができる。
【００２５】
尚、前記各実施形態によれば、フラットハーネスを電池監視ユニット用の電圧検出線として使用したが、電圧検出線以外の用途に使用しても良い。
【符号の説明】
【００２６】
１０，１０′，１０″  フラットハーネス
１１  電線
１２  １枚の粘着テープ（絶縁材）
１２ａ  片面
１３  粘着材
１４  曲げ部
２０  バスバー
３０  電池モジュール
３１  電池セル
３２  電極端子
Ｈ  配索経路
Ｓ  隙間
【図１】
2019204691.tif 000003
【図２】
2019204691.tif 000004
【図３】
2019204691.tif 000005
【図４】
2019204691.tif 000006
【図５】
2019204691.tif 000007